(57)【要約】【課題】飾り棚の取り付けに使用される金具等をできるだけ遮蔽しつつ、飾り棚を壁面に容易に取り付けることが可能な飾り棚および飾り棚の取付構造を提供することを目的とする。【解決手段】壁面２に固定される下地板材１０と、この下地板材１０の正面に係合部材４０を介して取り付けられる垂直板材２０と、この垂直板材２０の正面から水平方向に突出して取り付けられる棚板材３０とを備え、係合部材４０は、下地板材１０の正面の被係合部４１と、垂直板材２０の背面の係合部４２とを有していることを特徴とする飾り棚１。これにより、正面に棚板材が取り付けられた状態の垂直板材を、係合部を被係合部に係合させるようにして下地板材に取り付けることができる。【選択図】図１
2010273743.tif 000002
【特許請求の範囲】
【請求項１】
壁面に固定される下地板材と、
この下地板材の正面に係合部材を介して取り付けられる垂直板材と、
この垂直板材の正面から水平方向に突出するようにして該垂直板材に取り付けられる棚板材とを備えており、
前記係合部材は、前記下地板材の正面に取り付けられる被係合部と、この被係合部に係合するとともに、前記垂直板材の背面に取り付けられる係合部とを有していることを特徴とする飾り棚。
【請求項２】
請求項１に記載の飾り棚において、
前記棚板材は、前記垂直板材の正面から突出するようにして設けられるとともに、前記棚板材の垂直板材側端面から該棚板材の内部に向かって形成される穴部に挿入される棚受け部材を介して、前記垂直板材に取り付けられていることを特徴とする飾り棚。
【請求項３】
請求項１または２に記載の飾り棚において、
前記垂直板材の背面には、この背面の周縁部に沿って目隠し枠が取り付けられており、
前記下地板材は、この目隠し枠の内周縁部よりも内側に収まる大きさに設定されていることを特徴とする飾り棚。
【請求項４】
請求項３に記載の飾り棚において、
前記目隠し枠の厚みは、前記下地板材の厚みと略等しくなるように設定されており、
前記下地板材と垂直板材との間において前記係合部材が介在する分の隙間は、前記下地板材および目隠し枠の厚みよりも小さくなるように設定されていることを特徴とする飾り棚。
【請求項５】
請求項２〜４のいずれか一項に記載の飾り棚において、
前記垂直板材の幅方向の長さと、前記棚板材の幅方向の長さとが略等しくなるように設定されており、
前記棚板材は、前記垂直板材の正面の高さ方向中央部に配置されるとともに、前記垂直板材の幅方向一方側または他方側にずれるようにして配置されていることを特徴とする飾り棚。
【請求項６】
請求項１〜５のいずれか一項に記載の飾り棚が壁面に取り付けられてなる飾り棚の取付構造であって、
前記壁面に、正面に前記係合部材の被係合部が取り付けられた下地板材が固定されており、
前記垂直板材の正面に、前記棚板材が取り付けられるとともに、この垂直板材の背面に前記係合部材の係合部が取り付けられており、
この垂直板材が、前記係合部を前記被係合部に係合させるようにして前記下地板材に取り付けられていることを特徴とする飾り棚の取付構造。
【発明の詳細な説明】
【技術分野】
【０００１】
本発明は、壁面に固定される飾り棚および飾り棚の取付構造に関する。
【背景技術】
【０００２】
従来、水平に設けられる棚板の側面に断面略Ｌ字型の金具が取り付けられており、このＬ字型金具には壁面に向かって斜方向に穴が空けられているような構成の飾り棚が知られている（例えば、特許文献１参照）。
このような飾り棚によれば、棚板を壁面に固定するのに、斜方向に空けられた穴にピンを打ち込むだけで済むため、取付作業を容易に行えるという利点がある。
【先行技術文献】
【特許文献】
【０００３】
【特許文献１】特開２０００−０３３０２０号公報
【発明の概要】
【発明が解決しようとする課題】
【０００４】
ところで、特許文献１に記載のような飾り棚は、取付に際して、断面Ｌ字型の金具やピンを使用している。ところが、このように金具やピンを使用すると、これら金具やピンの頭部が目立って、壁面周囲の外観を損ねてしまう場合があった。
しかしながら、このような問題を解決するために、例えば上述のような飾り棚を建物躯体に直接固定してから壁面の内装材を取り付けるような、いわゆる作り付け家具としてしまうと、その取付作業が大掛かりなものになってしまうという問題があった。
【０００５】
本発明の課題は、飾り棚の取り付けに使用される金具等をできるだけ遮蔽しつつ、飾り棚を壁面に容易に取り付けることが可能な飾り棚および飾り棚の取付構造を提供することを目的とする。
【課題を解決するための手段】
【０００６】
請求項１に記載の発明は、飾り棚１であって、例えば図１〜図８に示すように、壁面２に固定される下地板材１０と、
この下地板材１０の正面に係合部材４０を介して取り付けられる垂直板材２０と、
この垂直板材２０の正面から水平方向に突出するようにして該垂直板材２０に取り付けられる棚板材３０とを備えており、
前記係合部材４０は、前記下地板材１０の正面に取り付けられる被係合部４１と、この被係合部４１に係合するとともに、前記垂直板材２０の背面に取り付けられる係合部４２とを有していることを特徴とする。
【０００７】
請求項１に記載の発明によれば、前記係合部材４０は、前記下地板材１０の正面に取り付けられる被係合部４１と、この被係合部４１に係合するとともに、前記垂直板材２０の背面に取り付けられる係合部４２とを有しているので、正面に前記棚板材３０が取り付けられた状態の垂直板材２０を、前記係合部４２を前記被係合部４１に係合させるようにして前記下地板材１０に取り付けることができる。
これによって、前記係合部材４０を遮蔽しながら、前記垂直板材２０を前記下地板材１０に取り付けることができるので、例えば前記係合部材４０が露出してしまう場合とは異なり、壁面２周囲の外観を損ねることを確実に防ぐことができる。
また、前記被係合部４１に係合部４２を係合させるだけで、前記垂直板材２０を前記下地板材１０に取り付けることができるので、この垂直板材２０の取付作業が容易なものとなり、従来とは異なり、取付作業が大掛かりになることを確実に防ぐことができる。
【０００８】
請求項２に記載の発明は、例えば図１〜図４に示すように、請求項１に記載の飾り棚１において、
前記棚板材３０は、前記垂直板材２０の正面から突出するようにして設けられるとともに、前記棚板材３０の垂直板材２０側端面から該棚板材３０の内部に向かって形成される穴部３１，３２に挿入される棚受け部材５０，６０を介して、前記垂直板材２０に取り付けられていることを特徴とする。
【０００９】
請求項２に記載の発明によれば、前記棚板材３０は、前記棚受け部材５０，６０を介して、前記垂直板材２０に取り付けられているので、この棚受け部材５０，６０によって、前記棚板材３０を、前記垂直板材２０に確実に取り付けることができる。
また、前記棚受け部材５０，６０は、前記垂直板材２０の正面から突出するようにして設けられるとともに、前記棚板材３０の垂直板材２０側端面から該棚板材３０の内部に向かって形成される穴部３１，３２に挿入されているので、この棚受け部材５０，６０を遮蔽しながら、前記棚板材３０を、前記垂直板材に取り付けることができ、壁面２周囲の外観を損ねることを、より確実に防ぐことができる。
【００１０】
請求項３に記載の発明は、例えば図１，図２および図４に示すように、請求項１または２に記載の飾り棚１において、
前記垂直板材２０の背面には、この背面の周縁部に沿って目隠し枠２１が取り付けられており、
前記下地板材１０は、この目隠し枠２１の内周縁部２１ａよりも内側に収まる大きさに設定されていることを特徴とする。
【００１１】
請求項３に記載の発明によれば、前記垂直板材２０の背面には、この背面の周縁部に沿って目隠し枠２１が取り付けられており、前記下地板材１０は、この目隠し枠２１の内周縁部２１ａよりも内側に収まる大きさに設定されているので、前記下地板材１０と垂直板材２０との間に介在する係合部材４０を、前記目隠し枠２１によって、壁面２に取り付けられた飾り棚１を上方や下方、側方から見た場合でも確実に遮蔽することができ、壁面２周囲の外観を損ねることを、さらに確実に防ぐことができる。
【００１２】
請求項４に記載の発明は、例えば図１，図２および図４に示すように、請求項３に記載の飾り棚１において、
前記目隠し枠２１の厚みは、前記下地板材１０の厚みと略等しくなるように設定されており、
前記下地板材１０と垂直板材２０との間において前記係合部材４０が介在する分の隙間Ｓ１は、前記下地板材１０および目隠し枠２１の厚みよりも小さくなるように設定されていることを特徴とする。
【００１３】
請求項４に記載の発明によれば、前記目隠し枠２１の厚みは、前記下地板材１０の厚みと略等しくなるように設定されており、前記下地板材１０と垂直板材２０との間において前記係合部材４０が介在する分の隙間Ｓ１は、前記下地板材１０および目隠し枠２１の厚みよりも小さくなるように設定されているので、前記垂直板材２０を下地板材１０に取り付けた際に、前記目隠し枠２１と下地板材１０とが重なり合うようにして見えることになる。これによって、前記係合部材４０を、より確実に遮蔽することができるので、壁面２周囲の外観を損ねることを、より一層確実に防ぐことができる。
【００１４】
請求項５に記載の発明は、例えば図１〜図４，図７，図８に示すように、請求項２〜４のいずれか一項に記載の飾り棚１において、
前記垂直板材２０の幅方向の長さと、前記棚板材３０の幅方向の長さとが略等しくなるように設定されており、
前記棚板材３０は、前記垂直板材２０の正面の高さ方向中央部に配置されるとともに、前記垂直板材２０の幅方向一方側または他方側にずれるようにして配置されていることを特徴とする。
【００１５】
請求項５に記載の発明によれば、前記垂直板材２０の幅方向の長さと、前記棚板材３０の幅方向の長さとが略等しくなるように設定されており、前記棚板材３０は、前記垂直板材２０の正面の高さ方向中央部に配置されるとともに、前記垂直板材２０の幅方向一方側または他方側にずれるようにして配置されているので、例えば前記棚板材３０を、この棚板材３０の幅方向両側端部と、前記垂直板材２０の幅方向両側端部とが揃うように配置した場合とは異なる形態の飾り棚１を形成できる。
また、このように前記棚板材３０を、前記垂直板材２０の正面の高さ方向中央部に配置するとともに、前記垂直板材２０の幅方向一方側または他方側にずれるようにして配置したとしても、前記棚受け部材５０，６０を確実に遮蔽することができる。
【００１６】
請求項６に記載の発明は、例えば図７および図８に示すように、請求項１〜５のいずれか一項に記載の飾り棚１が壁面２に取り付けられてなる飾り棚１の取付構造であって、
前記壁面２に、正面に前記係合部材４０の被係合部４１が取り付けられた下地板材１０が固定されており、
前記垂直板材２０の正面に、前記棚板材３０が取り付けられるとともに、この垂直板材２０の背面に前記係合部材４０の係合部４２が取り付けられており、
この垂直板材２０が、前記係合部４２を前記被係合部４１に係合させるようにして前記下地板材１０に取り付けられていることを特徴とする。
【００１７】
請求項６に記載の発明によれば、前記垂直板材２０が、前記係合部４２を前記被係合部４１に係合させるようにして前記下地板材１０に取り付けられているので、前記係合部材４０を遮蔽しながら、前記垂直板材２０を前記下地板材１０に取り付けることができる。これによって、例えば前記係合部材４０が露出してしまう場合とは異なり、壁面２周囲の外観を損ねることを確実に防ぐことができる。
また、前記被係合部４１に係合部４２を係合させるだけで、前記垂直板材２０を前記下地板材１０に取り付けることができるので、この垂直板材２０の取付作業が容易なものとなり、従来とは異なり、取付作業が大掛かりになることを確実に防ぐことができる。
【発明の効果】
【００１８】
本発明によれば、壁面に固定される下地板材と、この下地板材の正面に係合部材を介して取り付けられる垂直板材と、この垂直板材の正面から水平方向に突出するようにして該垂直板材に取り付けられる棚板材とを備えており、係合部材は、下地板材の正面に取り付けられる被係合部と、この被係合部に係合するとともに、垂直板材の背面に取り付けられる係合部とを有しているので、正面に棚板材が取り付けられた状態の垂直板材を、係合部を被係合部に係合させるようにして下地板材に取り付けることができる。
これによって、係合部材を遮蔽しながら、垂直板材を下地板材に取り付けることができるので、例えば係合部材が露出してしまう場合とは異なり、壁面周囲の外観を損ねることを確実に防ぐことができる。
また、被係合部に係合部を係合させるだけで、垂直板材を下地板材に取り付けることができるので、この垂直板材の取付作業が容易なものとなり、従来とは異なり、取付作業が大掛かりになることを確実に防ぐことができる。
【図面の簡単な説明】
【００１９】
【図１】本発明の飾り棚の概略を示す平面図である。
【図２】図１に示す飾り棚の側断面図である。
【図３】図１に示す飾り棚の正面図である。
【図４】棚受け部材の他の例の概略を示す平面図である。
【図５】係合部材の被係合部を示すものであり、（ａ）は側断面図であり、（ｂ）は正面図である。
【図６】係合部材の係合部を示すものであり、（ａ）は姿図であり、（ｂ）は、本図（ａ）に示す係合部の平面図である。
【図７】本発明の飾り棚の取付例を示す斜視図である。
【図８】図７に示す飾り棚の取付例の正面図である。
【発明を実施するための形態】
【００２０】
以下、図面を参照して本発明の実施の形態について説明する。
図１は本発明に係る飾り棚の一例を示す平面図である。
図１において符号１は、飾り棚を示す。この飾り棚１は、壁面２に固定される下地板材１０と、この下地板材１０の正面に係合部材４０を介して取り付けられる垂直板材２０と、この垂直板材２０の正面から水平方向に突出するようにして該垂直板材２０に取り付けられる棚板材３０とを備えている。
【００２１】
なお、本実施の形態の壁面２は、縦横の框材が矩形状に組み立てられるとともに、矩形枠の内部に補助桟材が縦横に組み付けられて枠体が構成され、この枠体の両面もしくは片面に面材２ａが貼設されてなる内部中空な構造の壁パネルの、前記面材２ａの表面部分を指している。また、この面材２ａの表面部分である壁面２には内装下地材として石膏ボード３が取り付けられている。
【００２２】
前記下地板材１０は、図１〜図３に示すように、所定の幅寸法と高さ寸法とに設定された矩形状の板材であり、ビス１２等によって壁面２に固定されるものである。
また、この下地板材１０の正面には、前記係合部材４０の被係合部４１が取り付けられている。
【００２３】
なお、この下地板材１０を壁面２に固定する際は、前記石膏ボード３に埋設されたボードアンカー１１を利用する。すなわち、このボードアンカー１１を下地板材１０を固定するのに必要な箇所に埋設し、この下地板材１０を前記壁面２に当接させてから、ビス１２を前記ボードアンカー１１に向かってねじ込むようにして前記下地板材１０を壁面２に固定する。
また、本実施の形態において、前記下地板材１０を壁面２に固定する際に使用するボードアンカー１１およびビス１２の本数は６本であり、前記下地板材１０の四隅および中央付近の６箇所に設けられているが、これに限られるものではなく、飾り棚１全体を確実に支持できる範囲で適宜変更可能である。
また、前記ボードアンカー１１を埋設する際は、このボードアンカー１１が前記面材２ａに引っ掛かるようにして埋設する。
【００２４】
前記垂直板材２０は、図１〜図３に示すように、この垂直板材２０の背面が、前記下地板材１０の正面と対向するように、かつ壁面２と平行するようにして垂直に設けられる矩形状の板材であり、背面には、前記係合部材４０の被係合部４１と係合する係合部４２が取り付けられている。
【００２５】
また、この垂直板材２０の背面には、この背面の周縁部に沿って目隠し枠２１が取り付けられている。この目隠し枠２１は、例えば桟材等の長尺材を縦横に組み立てて枠状に形成したものであり、この目隠し枠２１の外周面と、前記垂直板材２０の外周面とが面一となるように形成されている。
【００２６】
さらに、この目隠し枠２１の内周縁部２１ａよりも内側に、前記下地板材１０が位置している。つまり、前記下地板材１０は、この目隠し枠２１の内周縁部２１ａよりも内側に収まる大きさに設定されている。
これにより、前記下地板材１０と垂直板材２０との間に介在する係合部材４０を、前記目隠し枠２１によって、壁面２に取り付けられた飾り棚１を上方や下方、側方から見た場合でも確実に遮蔽することができる。
【００２７】
また、この目隠し枠２１の厚みは、前記下地板材１０の厚みと略等しくなるように設定されており、前記下地板材１０と垂直板材２０との間において前記係合部材４０が介在する分の隙間Ｓ１は、前記下地板材１０および目隠し枠２１の厚みよりも小さくなるように設定されている。
これにより、前記垂直板材２０を下地板材１０に取り付けた際に、前記目隠し枠２１と下地板材１０とが重なり合うようにして見えることになる。これによって、前記係合部材４０を、より確実に遮蔽することができる。
【００２８】
さらに、このように垂直板材２０の背面に目隠し枠２１を取り付けておけば、例えば前記垂直板材２０が湿気等によって反って変形を起こそうとすることを防ぐことができるという利点もある。
【００２９】
前記棚板材３０は、図１〜図３に示すように、前記垂直板材２０の正面に、この垂直板材２０の正面から水平に突出するようにして取り付けられる矩形状の板材である。
なお、この棚板材３０の突出寸法は、図７に示すように、過度に長くならず、物品を載せても確実に支持できる範囲で、適宜変更可能である。
また、前記垂直板材２０の幅方向の長さと、前記棚板材３０の幅方向の長さとが略等しくなるように設定されている。
【００３０】
さらに、この棚板材３０は、この棚板材３０の垂直板材２０側端面から該棚板材３０の内部に向かって形成される穴部３１に挿入される棚受け部材５０を介して、前記垂直板材２０に取り付けられている。
【００３１】
そして、図１〜図３に示す棚板材３０は、前記垂直板材２０の正面の高さ方向中央部に配置されるとともに、前記垂直板材２０の幅方向一方側または他方側にずれるようにして配置されている。
なお、これに限られず、図７および図８に示す棚板材３０のように、前記垂直板材２０の正面の高さ方向中央部に、かつ該垂直板材２０の幅方向両端部と、前記棚板材３０の幅方向両側端部とが揃うようにして配置して、飾り棚１を形成してもよいものとする。また、このように棚板材３０の位置を変更すれば、異なる形態の飾り棚１を形成できるので好ましい。
【００３２】
前記係合部材４０は、上述のように、前記下地板材１０の正面に取り付けられる被係合部４１と、この被係合部４１に係合するとともに、前記垂直板材２０の背面に取り付けられる係合部４２とを有している。
なお、この係合部材４０は、図３に示すように、例えば前記下地板材１０の四隅近傍の４ヶ所に設けられているものとするが、前記垂直板材２０を支持できる範囲で、個数および設置箇所は適宜変更可能である。
【００３３】
また、前記被係合部４１は、図５に示すように、この被係合部４１を前記下地板材１０の正面に当接させる部分であり、この被係合部４１を固定するためのビス等の止着材を挿入する孔部が形成された固定部４１ａ，４１ａと、これら固定部４１ａ，４１ａの端部から立ち上がる脚板部４１ｂ，４１ｂと、これら脚板部４１ｂ，４１ｂの突出方向先端部間に架け渡されるとともに、前記係合部４２を受ける受け板部４１ｃとを備えている。
【００３４】
また、この受け板部４１ｃには、後述する係合部４２の頭部４２ｄが挿入される挿入部４１ｅと、後述する係合部４２の軸部がスライドして、前記頭部４２ｄが係止される係止部４１ｆとからなる長孔４１ｄが形成されている。
【００３５】
一方の前記係合部４２は、図６に示すように、前記垂直板材２０の背面にねじ込まれるネジ部４２ａと、このネジ部４２ａの基端部側に設けられるフランジ部４２ｂと、このフランジ部４２ｂから基端部側に、かつ前記ネジ部４２ａと同軸に設けられる軸部４２ｃと、この軸部４２ｃの基端部側に設けられるとともに前記フランジ部４２ｂよりも小径な頭部４２ｄとを備えている。
【００３６】
また、この頭部４２ｄは、前記被係合部４１の受け板部４１ｃに形成された長孔４１ｄの挿入部４１ｅよりも小径に形成されるとともに、前記長孔４１ｄの係止部４１ｆの幅寸法よりも大径に形成されている。
また、前記軸部４２ｃは、前記長孔４１ｄの挿入部４１ｅおよび係止部４１ｆの幅寸法よりも小径に形成されている。
さらに、前記フランジ部４２ｂは、前記長孔４１ｄの挿入部４１ｅおよび係止部４１ｆの幅寸法よりも大径に形成されている。
したがって、前記係合部４２は、この係合部４２の頭部４２ｄを、前記被係合部４１の受け板部４１ｃの長孔４１ｄの挿入部４１ｅから挿入し、前記軸部４２ｃを前記長孔４１ｄの係止部４１ｆの長さ方向に沿って該長孔４１ｄの挿入部４１ｅとは反対の端部までスライドさせることによって、前記被係合部４１に係合できるようになっている。
また、前記係合部４２を前記被係合部４１に係合させた際は、前記係合部４２のフランジ部４２ｂおよび頭部４２ｄは、前記被係合部４１の係止部４１ｆの幅寸法よりも大径に形成されているので、前記係合部４２が被係合部４１から外れてしまうことを確実に防ぐことができる。
【００３７】
なお、前記係合部４２を被係合部４１に係合させる際は、前記頭部４２ｄが前記挿入部４１ｅから挿入されて、前記軸部４２ｃが前記係止部４１ｆをスライドすることによって係合するため、前記挿入部４１ｅは、前記係止部４１ｆよりも上方に位置していることになる。すなわち、前記係止部４１ｆよりも下方に挿入部４１ｅがあると、前記頭部４２ｄは簡単に外れてしまうし、前記係止部４１ｆの側方に挿入部４１ｅがあると、例えば前記垂直板材２０を横に動かしただけで外れてしまう場合があるためである。
したがって、前記垂直板材２０を前記下地板材１０に取り付ける際は、前記係合部４２の頭部４２ｄを、上方に位置する挿入部４１ｅから挿入して、そのまま垂直板材２０を下方に下げるようにしながら、前記軸部４２ｃを、前記係止部ｆをスライドさせるだけで済むことになる。
【００３８】
なお、このようにして前記垂直板材２０を前記下地板材１０に取り付けるには、図１および図２に示すように、前記下地板材１０の外周縁部１０ａと、前記目隠し枠２１の内周縁部２１ａとの間に、前記軸部４２ｃが前記係止部４１ｆを長さ方向に沿ってスライドする分の隙間Ｓ２をあけておくようにする。
【００３９】
前記棚受け部材５０は、図１〜図３に示すように、前記垂直板材２０の幅方向に沿って長く形成されるとともに、該垂直板材２０の正面に固定される固定部５１と、この固定部５１の中央部分から水平に突設される棒状の支持部５２とからなる。
なお、前記棚板材３０に形成される穴部３１は、前記固定部５１および支持部５２の形状に合わせて切削形成されている。
また、本実施の形態の棚受け部材５０は、前記棚板材３０と垂直板材２０とが当接する部分の両端部近傍の２ヶ所に設けられている。
【００４０】
なお、本実施の形態の棚受け部材５０は、このような形態に限られるものではなく、前記棚板材３０を確実に支持できる範囲で適宜変更可能である。
例えば図４に示す棚受け部材６０は、外側表面に、挿入される孔部２２および穴部３２（後述する）から抜け出ないように該孔部２２および穴部３２の内壁面に引っ掛かる抜出防止手段を有するとともに、内側表面にネジ山が形成される筒状の鬼目ナット６１と、この鬼目ナット６１に挿入されて内側表面のネジ山に螺合するネジ部を有する連結ボルト６２とを備えている。
一方、前記垂直板材２０には、該垂直板材２０を厚さ方向に沿って貫通する孔部２２が形成されており、前記棚板材３０には、該棚板材３０の垂直板材２０側端面から該棚板材３０の内部に向かって、かつ前記垂直板材２０の孔部２２に対応する位置に設けられる穴部３２が形成されている。
そして、前記鬼目ナット６１を、前記孔部２２および穴部３２の双方に挿入し、前記連結ボルト６２を、前記垂直板材２０の背面側から前記孔部２２に挿入し前記鬼目ナット６１に螺合させるようにしながらねじ込んでいくことによって、前記垂直板材２０を前記棚板材３０に取り付けできるようになっている。
【００４１】
そして、以上のような構成の飾り棚１は、図１〜図３に示すように、前記壁面２に取り付けられている。
すなわち、前記壁面２に、正面に前記係合部材４０の被係合部４１が取り付けられた下地板材１０が固定されており、前記垂直板材２０の正面に、前記棚板材３０が取り付けられるとともに、この垂直板材２０の背面に前記係合部材４０の係合部４２が取り付けられており、この垂直板材２０が、前記係合部４２を前記被係合部４１に係合させるようにして前記下地板材１０に取り付けられている。
【００４２】
また、図７および図８に示すように、前記飾り棚１は壁面２の上下方向に並べて取り付けてもよいし、図示はしないが、壁面２の左右方向に並べて取り付けてもよい。
また、このように複数の飾り棚１を並べて取り付ける際は、図７および図８のように、棚板材３０が前記垂直板材２０の幅方向一方側または他方側にずれるようにして配置された形態の飾り棚１と、前記垂直板材２０の幅方向両端部と、前記棚板材３０の幅方向両側端部とが揃うようにして配置された形態の飾り棚１とを並べてもよいものとする。
【００４３】
さらに、このように並べた複数の飾り棚１と、キャビネット４等の家具とを並べて取り付けるようにしてもよい。
すなわち、図７および図８に示すキャビネット４は、天板４ａ、地板４ｂ、側板４ｃ，４ｃ、背板４ｄとからなるボックス状のものであり、このキャビネット４の天板４ａと、キャビネット４に隣り合う上方の飾り棚１の棚板材３０とが略等しい厚みに形成されており、該天板４ａと棚板材３０との壁面２に対する高さ位置も略等しくなるようにして配置されている。また、前記地板４ｂと、キャビネット４に隣り合う下方の飾り棚１の棚板材３０とが略等しい厚みに形成されており、該地板４ｂと棚板材３０との壁面２に対する高さ位置も略等しくなるようにして配置されている。
そして、このように飾り棚１と隣接する家具や、同一部屋内に設けられる家具の構成部材の厚みや取付位置を略等しくしたり、また、例えばサイズが略等しくなるように形成したりすることによって、意匠の統一感を生み出すことができるので、部屋全体の外観性の向上を図れるので好ましい。
【００４４】
本実施の形態によれば、前記係合部材４０は、前記下地板材１０の正面に取り付けられる被係合部４１と、この被係合部４１に係合するとともに、前記垂直板材２０の背面に取り付けられる係合部４２とを有しているので、正面に前記棚板材３０が取り付けられた状態の垂直板材２０を、前記係合部４２を前記被係合部４１に係合させるようにして前記下地板材１０に取り付けることができる。
これによって、前記係合部材４０を遮蔽しながら、前記垂直板材２０を前記下地板材１０に取り付けることができるので、例えば前記係合部材４０が露出してしまう場合とは異なり、壁面２周囲の外観を損ねることを確実に防ぐことができる。
また、前記被係合部４１に係合部４２を係合させるだけで、前記垂直板材２０を前記下地板材１０に取り付けることができるので、この垂直板材２０の取付作業が容易なものとなり、従来とは異なり、取付作業が大掛かりになることを確実に防ぐことができる。
【００４５】
また、前記棚板材３０は、前記棚受け部材５０，６０を介して、前記垂直板材２０に取り付けられているので、この棚受け部材５０，６０によって、前記棚板材３０を、前記垂直板材２０に確実に取り付けることができる。
また、前記棚受け部材５０，６０は、前記垂直板材２０の正面から突出するようにして設けられるとともに、前記棚板材３０の垂直板材２０側端面から該棚板材３０の内部に向かって形成される穴部３１，３２に挿入されているので、この棚受け部材５０，６０を遮蔽しながら、前記棚板材３０を、前記垂直板材に取り付けることができ、壁面２周囲の外観を損ねることを、より確実に防ぐことができる。
【００４６】
また、前記垂直板材２０の背面には、この背面の周縁部に沿って目隠し枠２１が取り付けられており、前記下地板材１０は、この目隠し枠２１の内周縁部２１ａよりも内側に収まる大きさに設定されているので、前記下地板材１０と垂直板材２０との間に介在する係合部材４０を、前記目隠し枠２１によって、壁面２に取り付けられた飾り棚１を上方や下方、側方から見た場合でも確実に遮蔽することができ、壁面２周囲の外観を損ねることを、さらに確実に防ぐことができる。
【００４７】
また、前記目隠し枠２１の厚みは、前記下地板材１０の厚みと略等しくなるように設定されており、前記下地板材１０と垂直板材２０との間において前記係合部材４０が介在する分の隙間Ｓ１は、前記下地板材１０および目隠し枠２１の厚みよりも小さくなるように設定されているので、前記垂直板材２０を下地板材１０に取り付けた際に、前記目隠し枠２１と下地板材１０とが重なり合うようにして見えることになる。これによって、前記係合部材４０を、より確実に遮蔽することができるので、壁面２周囲の外観を損ねることを、より一層確実に防ぐことができる。
【００４８】
また、前記垂直板材２０の幅方向の長さと、前記棚板材３０の幅方向の長さとが略等しくなるように設定されており、前記棚板材３０は、前記垂直板材２０の正面の高さ方向中央部に配置されるとともに、前記垂直板材２０の幅方向一方側または他方側にずれるようにして配置されているので、例えば前記棚板材３０を、この棚板材３０の幅方向両側端部と、前記垂直板材２０の幅方向両側端部とが揃うように配置した場合とは異なる形態の飾り棚１を形成できる。
また、このように前記棚板材３０を、前記垂直板材２０の正面の高さ方向中央部に配置するとともに、前記垂直板材２０の幅方向一方側または他方側にずれるようにして配置したとしても、前記棚受け部材５０，６０を確実に遮蔽することができる。
【００４９】
また、前記垂直板材２０が、前記係合部４２を前記被係合部４１に係合させるようにして前記下地板材１０に取り付けられているので、前記係合部材４０を遮蔽しながら、前記垂直板材２０を前記下地板材１０に取り付けることができる。これによって、例えば前記係合部材４０が露出してしまう場合とは異なり、壁面２周囲の外観を損ねることを確実に防ぐことができる。
また、前記被係合部４１に係合部４２を係合させるだけで、前記垂直板材２０を前記下地板材１０に取り付けることができるので、この垂直板材２０の取付作業が容易なものとなり、従来とは異なり、取付作業が大掛かりになることを確実に防ぐことができる。
【符号の説明】
【００５０】
１  飾り棚
２  壁面
１０  下地板材
２０  垂直板材
３０  棚板材
４０  係合部材
４１  被係合部
４２  係合部
【図１】
2010273743.tif 000003
【図２】
2010273743.tif 000004
【図３】
2010273743.tif 000005
【図４】
2010273743.tif 000006
【図５】
2010273743.tif 000007
【図６】
2010273743.tif 000008
【図７】
2010273743.tif 000009
【図８】
2010273743.tif 000010